(57)【特許請求の範囲】
【請求項１】
側壁を備えたフレームと、端子部およびベース部を備えたアンテナ端子と、上記フレームの内部に設けられ、上記アンテナ端子が載置されて実装されている回路基板とによって構成されるアンテナ端子構造であって、
上記ベース部は、上記側壁に固定されており、
上記フレームは、上記側壁の内側に、該側壁から離間した隔壁を有しており、
上記ベース部が、さらに上記隔壁に固定されており、
上記ベース部は、上記側壁または上記隔壁と電気的に導通可能に固定されており、
上記ベース部が、少なくとも２つの側面を有しており、互いに異なる上記側面において、上記側壁および上記隔壁に固定されていることを特徴とするアンテナ端子構造。
【請求項２】
上記ベース部の隣り合う２つの側面が、上記フレームの隣り合う２つの上記側壁にそれぞれ固定されていることを特徴とする請求項１に記載のアンテナ端子構造。
【請求項３】
上記ベース部の第１の側面が、上記フレームの上記側壁と固定され、
上記第１の側面に対向する上記ベース部の第２の側面が、上記隔壁に固定されていることを特徴とする請求項１に記載のアンテナ端子構造。
【請求項４】
上記ベース部の隣り合う２つの側面が、上記フレームの隣り合う２つの上記側壁に固定され、
上記ベース部の他の１つの側面が、上記隔壁に固定されていることを特徴とする請求項１に記載のアンテナ端子構造。
【請求項５】
上記ベース部の隣り合う２つの側面が、上記フレームの隣り合う２つの上記側壁に固定され、
上記ベース部の他の隣り合う２つの側面が、上記隔壁に固定されていることを特徴とする請求項１に記載のアンテナ端子構造。
【請求項６】
上記ベース部の第１の側面が、上記フレームの上記側壁に固定され、
上記第１の側面と隣り合う上記ベース部の第２の側面が、上記隔壁に固定されていることを特徴とする請求項１に記載のアンテナ端子構造。
【請求項７】
上記ベース部の第１の側面が、上記フレームの上記側壁に固定され、
上記第１の側面と隣り合う上記ベース部の第２の側面および第３の側面が、上記隔壁に固定されていることを特徴とする請求項１に記載のアンテナ端子構造。
【請求項８】
上記ベース部の第１の側面が、上記フレームの上記側壁に固定され、
上記第１の側面と隣り合う上記ベース部の第２の側面が、上記フレームの第１の隔壁に固定され、
上記第１の側面に対向する上記ベース部の第３の側面が、上記第１の隔壁とは異なる第２の隔壁に固定されていることを特徴とする請求項１に記載のアンテナ端子構造。
【請求項９】
側壁と、該側壁の内側に、該側壁から離間して設けられた隔壁とを備えたフレームと、端子部およびベース部を備えたアンテナ端子と、上記フレームの内部に設けられ、上記アンテナ端子が載置されて実装されている回路基板とによって構成されるアンテナ端子構造であって、
上記ベース部は、上記隔壁に固定されており、
上記ベース部は、上記隔壁と電気的に導通可能に接続されていることを特徴とするアンテナ端子構造。
【請求項１０】
上記ベース部の１つの側面が、上記隔壁に固定されていることを特徴とする請求項９に記載のアンテナ端子構造。
【請求項１１】
上記ベース部の第１の側面が、上記フレームの第１の隔壁に固定され、
上記第１の側面に対向する上記ベース部の第２の側面が、上記第１の隔壁とは異なる第２の隔壁と固定されていることを特徴とする請求項９に記載のアンテナ端子構造。
【請求項１２】
上記ベース部の第１の側面が、上記フレームの第１の隔壁に固定され、
上記第１の側面と隣り合う上記ベース部の第２の側面が、上記第１の隔壁とは異なる第２の隔壁と固定されていることを特徴とする請求項９に記載のアンテナ端子構造。
【請求項１３】
上記ベース部の第１の側面が、上記フレームの第１の隔壁に固定され、
上記第１の側面と隣り合う上記ベース部の第２の側面および第３の側面が、上記第１の隔壁とは異なる他の隔壁に固定されていることを特徴とする請求項９に記載のアンテナ端子構造。
【請求項１４】
上記ベース部の全ての側面が、上記フレームの隔壁に固定されていることを特徴とする請求項９に記載のアンテナ端子構造。
【請求項１５】
上記フレームは、導電性シャーシであることを特徴とする請求項１〜１４のいずれか１項に記載のアンテナ端子構造。
【請求項１６】
上記フレームは、導電性シャーシとシールドカバーとを含んで構成されることを特徴とする請求項１〜１４のいずれか１項に記載のアンテナ端子構造。
【請求項１７】
上記端子部は、上記回路基板に対して垂直方向に立設されていることを特徴とする請求項１〜１６のいずれか１項に記載のアンテナ端子構造。
【請求項１８】
上記ベース部は、上記回路基板と接する面に溝を有しており、
上記アンテナ端子の中心導体が、上記溝を通って、上記回路基板に形成された回路に接続されていることを特徴とする請求項１〜１７のいずれか１項に記載のアンテナ端子構造。
【請求項１９】
上記ベース部は、上記回路基板と接する面に突設されたベース固定部を有し、
上記ベース固定部が、上記回路基板に設けられた挿入孔に嵌挿されていることを特徴とする請求項１〜１８のいずれか１項に記載のアンテナ端子構造。
【請求項２０】
上記フレームの上記側壁は、上記ベース部の上記回路基板と接する面に対向する面に当接するように凸設された側壁凸部を備えていることを特徴とする請求項１〜１９のいずれか１項に記載のアンテナ端子構造。
【請求項２１】
上記ベース部は、上記フレームの上記側壁と接する面に凸設されたベース凸部を有し、
上記ベース凸部が、上記側壁に設けられた開口部または凹部と嵌合していることを特徴とする請求項１〜２０のいずれか１項に記載のアンテナ端子構造。
【請求項２２】
上記ベース部は、多角形であることを特徴とする請求項１に記載のアンテナ端子構造。
【請求項２３】
上記アンテナ端子の中心導体は、上記ベース部の対角方向に引き出されていることを特徴とする請求項２２に記載のアンテナ端子構造。
【請求項２４】
上記ベース部は、円形の一部が面取りされた形状であることを特徴とする請求項１に記載のアンテナ端子構造。
【請求項２５】
上記アンテナ端子は、Ｆ接栓であることを特徴とする請求項１〜２４のいずれか１項に記載のアンテナ端子構造。
【請求項２６】
上記アンテナ端子は、ＤＩＮ端子であることを特徴とする請求項１〜２４のいずれか１項に記載のアンテナ端子構造。
【請求項２７】
上記アンテナ端子は、ソケット端子であることを特徴とする請求項１〜２４のいずれか１項に記載のアンテナ端子構造。
【請求項２８】
上記ベース部は、切削によって成形され、上記端子部と一体的に上記アンテナ端子を形成していることを特徴とする請求項１〜２７のいずれか１項に記載のアンテナ端子構造。
【請求項２９】
上記ベース部は、ダイキャストによって成形され、上記端子部に接合されて上記アンテナ端子を形成していることを特徴とする請求項１〜２７のいずれか１項に記載のアンテナ端子構造。
【請求項３０】
請求項１〜２９のいずれか１項に記載のアンテナ端子構造を備えていることを特徴とするチューナー装置。
【発明の詳細な説明】
【技術分野】
【０００１】
本発明は、アンテナ端子構造、および、それを備えたチューナー装置に関し、特に、電子チューナーにおいて、放送信号などの高周波信号を受信するアンテナと該アンテナによって受信された高周波信号を処理する回路基板とを接続するためのアンテナ端子構造およびチューナー装置に関する。
【背景技術】
【０００２】
従来、テレビの電子チューナーにおいて、アンテナ端子は、シャーシ側面に設けられていた。この場合、アンテナ端子のセンターピンは、基板の回路形成面に対して水平方向に延びる。例えば、特許文献１に記載の高周波装置では、同軸コネクタが金属製の筺体の側面に設けられている。そして、特許文献１に記載の高周波装置では、独立した回路機能を有する複数の基板が筺体内において平行に設けられており、上記同軸コネクタの芯線部は筺体内部の基板部におけるプリントパターン部の形成面に対して水平方向に延びている。
【０００３】
しかしながら、昨今、薄型テレビにおいて、アンテナ端子は、シャーシ側面ではなく、シャーシ上面に設けられることが多くなっている。これは、チューナシャーシを横に寝かせることによって、チューナー高さを低減し、薄型テレビセットの更なる薄型化・小型化を進めると共に、さらにアンテナ端子を垂直方向とすることによって、アンテナ線の取り回しを容易にするためである。この場合、アンテナ端子のセンターピンは、基板の回路形成面に対して、垂直方向に延びることになる。
【０００４】
シャーシ上面にアンテナ端子を設ける場合、シャーシの上面部に一定の面積を有する平板部を設け、その平板部にアンテナ端子を取り付けるための開口部を形成し、該開口部にアンテナ端子を挿入して、カシメ等によって機構的に取り付けている。
【０００５】
図２６は、外部からの信号を受信するアンテナを接続するためのアンテナ端子がシャーシ上面に設けられたチューナー３０の断面図である。また、図２７は、図２６に示すチューナー３０の斜視図である。図２６および２７に示すとおり、電子チューナー３０は、パターン形成された回路基板３３と、電気的な遮蔽を目的とした金属シャーシ３４とを含んで構成される。図２６に示すチューナー３０では、アンテナ端子３２は、金属シャーシ３４の上面３４ａに設けられている。また、回路基板３３には、部品３６が回路形成面３３ａにマウントされ、部品３７が上面３３ｂから挿入されて設置されている。そして、アンテナ端子３２のセンターピン３２３は、半田付けにより、回路基板３３の回路形成面３３ａにおけるパターンに電気的に接続される。
【０００６】
また、コネクタ端子の接続ピンが基板に対して垂直に設けられている他の構成として、特許文献２において、プリント回路基板に高周波信号を伝播する同軸ケーブルを接続するための表面実装同軸コネクタが開示されている。特許文献２に記載の同軸コネクタは、ネジやボルトなどの締結具によって、該同軸コネクタが実装されている面とは反対側の基板面に配置されている放熱板と結合するようにして固定されている。これにより、同軸コネクタに加えられる機械的負荷は、締結具を介して放熱板にまで移動し、広範な領域にわたって広がるため、コネクタに加えられる機械的負荷によってプリント回路基板が損傷するリスクを低減できる。 
【先行技術文献】
【特許文献】
【０００７】
【特許文献１】特開平９−９７９９３号公報（１９９７年４月８日公開）
【特許文献２】特開２００６−３４４５９５号公報（２００６年１２月２１日公開）
【発明の概要】
【発明が解決しようとする課題】
【０００８】
しかしながら、図２４および２５に示すシャーシ上面にアンテナ端子が設けられた構造のチューナーにおいては、シャーシ下面（アンテナ端子が設けられたシャーシ上面の反対側の面）からアンテナ端子の先端までを含めたチューナー全体としての薄型化を進める場合、アンテナ端子の長さは一定であるため、シャーシを薄型化する必要がある。しかしながら、シャーシの内部には基板が設けられており、基板の表面には各種の部品がマウント、あるいは、挿入されるため、シャーシ上面と下面との幅を、基板上に実装される部品の高さよりも小さくすることはできない。したがって、シャーシ上面３４ａにアンテナ端子３２が設けられた構造のチューナー３０においては、チューナー全体としての更なる薄型化に大きな制限がかかるという問題が生ずる。
【０００９】
また、シャーシ上面３４ａにアンテナ端子３２が設けられた構造においては、アンテナ端子３２の下の領域３９は、半田コテやピンセットの先端が入り難い作業難区域となるため、部品を配置した場合、調整や改造が困難になる。そのため、アンテナ端子３２の下方の領域３９には、挿入部品の配置を避ける必要があり、アンテナ端子３２がシャーシ上面３４ａに設けられることによって形成されるスペースを有効に利用することができない。
【００１０】
また、通常、チューナー３０の下面側、すなわち、シールド部材３５の下面側には、チューナー３０に接続される機器（以下では、セット機器と称する）のマザーボードと電気的な接続を形成するためのコネクタ端子が延びる。このコネクタ端子は、シャーシ３４の内部の基板（すなわち、チューナーの回路基板）に形成されたパターンに接続されている。そして、このコネクタ端子がセット機器のマザーボードに接続される場合、チューナー３０の回路基板３３において、上記コネクタ端子と上記パターンとの接続部に応力が発生する。
【００１１】
そのため、特に、チューナー３０の回路基板３３が片面パターン基板であって、その半田面３３ａ（すなわち、パターン形成面３３ａ）が下になる場合、上記応力によるパターン剥がれを防止するため、図２２に示すコの字形状のコネクタ端子３８が用いられる。しかしながら、コの字形状のコネクタ端子３８を用いる場合、チューナーの回路基板３３におけるコネクタ端子３８の占有面積が大きくなってしまうため、小型化・省スペース化の妨げとなる。
【００１２】
一方、特許文献２に記載の表面実装同軸コネクタをチューナーに適用する場合、アンテナ端子は、シャーシ内部にあるチューナーの回路基板の表面に実装されるため、部分的にシャーシの内部に配置されることになり、シャーシ下面からアンテナ端子の先端までを含めたチューナー全体としての薄型化を進めることは可能となる。また、図２３に示す作業難区域は形成されないため、省スペース化も可能となる。さらに、特許文献２に記載の同軸コネクタ端子は、実装される面の反対側の基板面に放熱板などの平面部材を配置し、ネジやボルトなどの締結具によって、平面部材と結合させることによって、同軸コネクタ端子を基板に固定する構成であり、同軸コネクタに加えられる機械的負荷によるプリント回路基板の損傷を防ぐことができる。
【００１３】
しかしながら、同軸コネクタ端子が実装される面の反対側の基板面において、上記平面部材が設けられている領域には、回路パターンを形成したり、他の部品を実装したりすることができない。また、同軸コネクタ端子には、ネジやボルトなどの締結具を通すためのフランジが設けられており、コネクタ端子が実装される基板面においても、フランジによって占有される領域には、回路パターンを形成したり、他の部品を実装したりすることができない。したがって、特許文献２に記載の同軸コネクタ端子をチューナーに適用した場合、基板における上記平板部材やコネクタ端子のフランジの占有面積が大きいため、部品配置やパターン形成などの基板設計の自由度を低下させ、チューナーの更なる小型化を妨げるという問題が生ずる。
【００１４】
本発明は、上記従来の問題点に鑑みなされたものであって、その目的は、端子に加わる応力による基板の損傷を防ぐことができ、かつ、基板における占有面積が小さく、基板設計の自由度を向上させることが可能なアンテナ端子構造およびそれを備えたチューナー装置を提供することにある。
【課題を解決するための手段】
【００１５】
本発明に係るアンテナ端子構造は、側壁を備えたフレームと、端子部およびベース部を備えたアンテナ端子と、上記フレームの内部に設けられ、上記アンテナ端子が載置されて実装されている回路基板とによって構成されるアンテナ端子構造であって、上記ベース部は、上記側壁に固定されており、上記フレームは、上記側壁の内側に、該側壁から離間した隔壁を有しており、上記ベース部が、さらに上記隔壁に固定されており、上記ベース部は、上記側壁または上記隔壁と電気的に導通可能に固定されており、上記ベース部が、少なくとも２つの側面を有しており、互いに異なる上記側面において、上記側壁および上記隔壁に固定されている構成である。
【００１６】
上記の構成によれば、本発明に係るアンテナ端子構造では、回路基板に載置されて実装されているアンテナ端子のベース部が、フレームを構成する側壁に固定されている。なお、フレームは、シールド機能を一体的に備えたシャーシであってもよいし、シャーシとシールドカバーとが着脱可能に設けられた構成であってもよく、特に限定はされない。また、内部に回路基板を配置できるような側壁を少なくとも有していればよく、例えば上壁を有していないような構成であってもよい。
【００１７】
アンテナ端子のベース部は、例えば、半田によって、フレームの側壁に面接触した状態で固定される。あるいは、アンテナ端子のベース部は、ネジなどによってフレームの側壁に固定される構成であってもよいし、金属充填された導電性を有する接着剤などによってフレームの側壁に固定される構成であってもよく、アンテナ端子のベース部がフレームの側壁に固定される構成であれば、特に限定はされない。
【００１８】
従来、面実装型のアンテナ端子は、ネジやボルトによって、平面部材など共に回路基板に締結されて固定されていたが、ネジやボルトを通すためのフランジや平面部材などによって、回路基板におけるアンテナ端子の占有面積が大きく、他の部品配置やパターン形成などの基板設計の自由度が小さくなってしまう問題があった。
【００１９】
これに対し、本発明に係るアンテナ端子構造によれば、上述のとおり、アンテナ端子のベース部が、フレームの側壁に固定されるため、アンテナ端子を回路基板に面実装する場合において、上述のフランジや平面部材が不要となり、回路基板におけるアンテナ端子の占有面積を低減することが可能となる。
【００２０】
これにより、アンテナ端子が面実装された回路基板における部品配置や回路パターンなどの設計の自由度を向上させることができる。また、部品を配置する場合やメンテナンス時の作業性も改善される。しかも、アンテナ端子は、フレームの側壁に固定されているため、アンテナを挿抜する場合にアンテナの挿抜方向に発生する応力によって面実装されたアンテナ端子が回路基板から脱離したり、回路パターンが剥離したりすることを防止できる。
【００２１】
また、本発明のアンテナ端子構造では、上記ベース部の隣り合う２つの側面が、上記フレームの隣り合う２つの上記側壁に固定されていることが好ましい。
【００２２】
これにより、アンテナ端子のベース部は、カシメ等によって補強されているフレームの四隅に固定されるため、アンテナを挿抜する場合に発生する応力に対する耐久性をさらに向上させることができる。
【００２３】
さらに、本発明のアンテナ端子構造では、上記フレームは、上記側壁の内側に隔壁を有しており、上記ベース部が、さらに上記隔壁と固定されている。
【００２４】
上記の構成によれば、フレームには隔壁が設けられており、アンテナ端子のベース部は、フレームの側壁と隔壁とに固定される。側壁はフレームの形状に沿って設けられるが、隔壁はフレームの内側において任意の配置が可能である。
【００２５】
これにより、アンテナ端子を固定する位置の自由度、すなわち、アンテナ端子の配置の自由度を向上させることができる。また、アンテナ端子のベース部は、フレームの側壁だけでなく、隔壁にも固定されることになるため、アンテナ端子に加わる応力に対する耐久性をさらに向上させることができる。
【００２６】
また、本発明のアンテナ端子構造では、上記ベース部の第１の側面が、上記フレームの上記側壁に固定され、上記第１の側面に対向する上記ベース部の第２の側面が、上記隔壁に固定されていることが好ましい。
【００２７】
これにより、アンテナ端子のベース部における対向する２つの面が、フレームの側壁および隔壁によって固定されるため、回転方向に発生する応力に対する耐久性を向上させることができる。
【００２８】
また、本発明のアンテナ端子構造では、上記ベース部の隣り合う２つの側面が、上記フレームの隣り合う２つの上記側壁に固定され、上記ベース部の他の１つの側面が、上記隔壁に固定されていることが好ましい。
【００２９】
これにより、アンテナの挿抜方向、および回転方向の両方の応力に対する耐久性を向上させることができる。
【００３０】
また、本発明のアンテナ端子構造では、上記ベース部の隣り合う２つの側面が、上記フレームの隣り合う２つの上記側壁に固定され、上記ベース部の他の隣り合う２つの側面が、上記隔壁に固定されていることが好ましい。
【００３１】
これにより、アンテナ端子のベース部は、４つの側面において固定されることになるため、アンテナ端子に加わる応力に対する耐久性をさらに向上させることが可能となる。
【００３２】
また、本発明のアンテナ端子構造では、上記ベース部の第１の側面が、上記フレームの上記側壁に固定され、上記第１の側面と隣り合う上記ベース部の第２の側面が、上記隔壁に固定されていることが好ましい。
【００３３】
これにより、フレームの側壁とアンテナ端子のベース部における１つの側面とが固定され、フレームの構造上、ベース部の固定されている側面とは反対側の側面に接するようにフレームの隔壁を設けることができない場合であっても、ベース部の固定されている側面と隣り合う１つの側面をフレームの隔壁に固定することができるため、アンテナ端子に加わる応力に対する耐久性をさらに向上させることが可能となる。
【００３４】
また、本発明のアンテナ端子構造では、上記ベース部の第１の側面が、上記フレームの上記側壁に固定され、上記第１の側面と隣り合う上記ベース部の第２の側面および第３の側面が、上記隔壁に固定されていることが好ましい。
【００３５】
これにより、フレームの側壁とアンテナ端子のベース部における１つの側面とが固定され、フレームの構造上、ベース部の固定されている側面とは反対側の側面に接するようにフレームの隔壁を設けることができない場合であっても、ベース部の固定されている側面と隣り合う２つの側面をフレームの隔壁に固定することができるため、アンテナ端子に加わる応力に対する耐久性をさらに向上させることが可能となる。
【００３６】
また、本発明のアンテナ端子構造では、上記ベース部の第１の側面が、上記フレームの上記側壁に固定され、上記第１の側面と隣り合う上記ベース部の第２の側面が、上記フレームの第１の隔壁に固定され、上記第１の側面に対向する上記ベース部の第３の側面が、上記第１の隔壁とは異なる第２の隔壁に固定されていることが好ましい。
【００３７】
これにより、アンテナ端子のベース部における対向する２つの面に加え、さらにもう１つの側面もフレームの側壁および隔壁によって固定されるため、回転方向に発生する応力に対する耐久性をさらに向上させることができる。
【００３８】
本発明のアンテナ端子構造は、側壁と、該側壁の内側に、該側壁から離間して設けられた隔壁とを備えたフレームと、端子部およびベース部を備えたアンテナ端子と、上記フレームの内部に設けられ、上記アンテナ端子が載置されて実装されている回路基板とによって構成されるアンテナ端子構造であって、上記ベース部は、上記隔壁に固定されており、上記ベース部は、上記隔壁と電気的に導通可能に接続されていることを特徴としている。
【００３９】
上記の構成によれば、本発明に係るアンテナ端子構造では、回路基板に載置されて実装されているアンテナ端子のベース部が、フレームの側壁の内側に設けられた隔壁に固定されている。
【００４０】
アンテナ端子のベース部は、例えば、半田によって、フレームの側壁に固定される。あるいは、アンテナ端子のベース部は、ネジなどによってフレームの側壁に固定される構成であってもよいし、金属充填された導電性を有する接着剤などによってフレームの側壁に固定される構成であってもよく、アンテナ端子のベース部がフレームの側壁に固定される構成であれば、特に限定はされない。
【００４１】
従来、面実装型のアンテナ端子は、ネジやボルトによって、平面部材など共に回路基板に締結されて固定されていたが、ネジやボルトを通すためのフランジや平面部材などによって、回路基板におけるアンテナ端子の占有面積が大きく、他の部品配置やパターン形成などの基板設計の自由度が小さくなってしまう問題があった。
【００４２】
これに対し、本発明に係るアンテナ端子構造によれば、上述のとおり、アンテナ端子のベース部が、フレームの隔壁に固定されるため、アンテナ端子を回路基板に面実装する場合において、上述のフランジや平面部材が不要となり、回路基板におけるアンテナ端子の占有面積を低減することが可能となる。さらに、側壁はフレームの形状に沿って設けられるが、隔壁はフレームの内側において任意の配置が可能である。
【００４３】
これにより、アンテナ端子が面実装された回路基板における部品配置や回路パターンなどの設計の自由度を向上させることができる。また、部品を配置する場合やメンテナンス時の作業性も改善される。さらに、アンテナ端子の配置自由度を向上させることもできる。しかも、アンテナ端子は、フレームの隔壁に固定されているため、アンテナを挿抜する場合に、アンテナ端子に加わる応力によって面実装されたアンテナ端子が回路基板から脱離したり、回路パターンが剥離したりすることを防止できる。
【００４４】
また、本発明のアンテナ端子構造では、上記ベース部の１つの側面が、上記隔壁に固定されていることが好ましい。
【００４５】
これにより、アンテナ端子をフレームの側壁に固定せずに、側壁の内側に設けられた１つの隔壁に固定することができるため、アンテナ端子の配置自由度を向上させることが可能となる。
【００４６】
また、本発明のアンテナ端子構造では、上記ベース部の第１の側面が、上記フレームの第１の隔壁に固定され、上記第１の側面に対向する上記ベース部の第２の側面が、上記第１の隔壁とは異なる第２の隔壁と固定されていることが好ましい。
【００４７】
これにより、アンテナ端子をフレームの側壁に固定せずに、側壁の内側に設けられた２つの隔壁に固定することができるため、アンテナ端子の配置自由度を向上させることが可能となる。また、ベース部における対向する２つの側面が固定されているため、回転方向の応力に対する耐久性を向上させることが可能となる。
【００４８】
また、本発明のアンテナ端子構造では、上記ベース部の第１の側面が、上記フレームの第１の隔壁に固定され、上記第１の側面と隣り合う上記ベース部の第２の側面が、上記第１の隔壁とは異なる第２の隔壁と固定されていることが好ましい。
【００４９】
これにより、アンテナ端子をフレームの側壁に固定せずに、側壁の内側に設けられた２つの隔壁に固定することができるため、アンテナ端子の配置自由度を向上させることが可能となる。また、ベース部における対向する２つの側面を固定することができない場合においても、アンテナ端子に加わる応力に対する耐久性を向上させることが可能となる。
【００５０】
また、本発明のアンテナ端子構造では、上記ベース部の第１の側面が、上記フレームの第１の隔壁に固定され、上記第１の側面と隣り合う上記ベース部の第２の側面および第３の側面が、上記第１の隔壁とは異なる他の隔壁に固定されていることが好ましい。
【００５１】
これにより、アンテナ端子をフレームの側壁に固定せずに、側壁の内側に設けられた３つの隔壁に固定することができるため、アンテナ端子の配置自由度を向上させることが可能となる。また、ベース部における対向する２つの面に加え、さらにもう１つの側面も隔壁によって固定されるため、回転方向に発生する応力に対する耐久性をさらに向上させることができる。
【００５２】
また、本発明のアンテナ端子構造では、上記ベース部の全ての側面が、上記フレームの隔壁に固定されていることが好ましい。
【００５３】
これにより、アンテナ端子をフレームの側壁に固定せずに、ベース部の全ての側面を、フレームの側壁の内側に設けられた隔壁に固定することができるため、アンテナ端子の配置自由度を向上させることが可能となる。また、ベース部における全ての側面が隔壁によって固定されるため、回転方向に発生する応力に対する耐久性をさらに向上させることができる。
【００５４】
また、本発明のアンテナ端子構造では、上記フレームは、導電性シャーシであることが好ましい。
【００５５】
これにより、フレームは、安定したグランド接続が可能となる。
【００５６】
また、本発明のアンテナ端子構造では、上記フレームは、導電性シャーシとシールドカバーとを含んで構成されることが好ましい。
【００５７】
これにより、フレームは、シールドカバーによって、外部のノイズを遮蔽できる。
【００５８】
また、本発明のアンテナ端子構造では、上記ベース部は、上記側壁または隔壁と電気的に導通可能に固定されていることが好ましい。
【００５９】
上記の構成によれば、ベース部は、フレームの側壁あるいは隔壁と電気的に導通状態にある。
【００６０】
これにより、フレームとアンテナ端子のベース部とは、電気的に接続される。通常、フレームは、グランドに接続される。そして、グランドの接続が不安定な場合、すなわち、アンテナ端子、回路基板、フレーム、およびアンテナからの入力ケーブルのグランド電位にずれが生じると、遮蔽の効果が薄れてしまうために不要な信号を輻射し、外部からの輻射の影響を受けやすくなってしまう。これに対して、本発明に係るアンテナ端子構造では、アンテナ端子のベース部とフレームと導通状態であり、良好にグランド接続されるため、グランドループの影響によるノイズの発生を抑制することが可能となる。
【００６１】
また、本発明のアンテナ端子構造では、上記端子部は、上記回路基板に対して垂直方向に立設されていることが好ましい。
【００６２】
これにより、アンテナ端子がフレームの上面に垂直方向に立設されている場合に比べて、アンテナ端子構造の全体としての高さ、すなわち、フレームの下面からアンテナ端子の端子部の先端までの高さを低減できる。
【００６３】
また、本発明のアンテナ端子構造では、上記ベース部は、上記回路基板と接する面に溝を有しており、上記アンテナ端子の中心導体が、上記溝を通って、上記回路基板に形成された回路に接続されていることが好ましい。
【００６４】
これにより、回路基板に面実装されるアンテナ端子の中心導体と回路パターンとの良好な電気的接続を形成することが可能となる。
【００６５】
また、本発明のアンテナ端子構造では、上記ベース部は、上記回路基板と接する面に突設されたベース固定部を有し、上記ベース固定部が、上記回路基板に設けられた挿入孔に嵌挿されていることが好ましい。
【００６６】
これにより、アンテナを挿抜する場合に、アンテナ端子の挿抜方向に加わる応力に対する耐久性をさらに向上させることが可能となる。
【００６７】
また、本発明のアンテナ端子構造では、上記フレームの上記側壁は、上記ベース部の上記回路基板と接する面に対向する面に当接するように凸設された側壁凸部を備えていることが好ましい。
【００６８】
これにより、アンテナを挿抜する場合に、アンテナ端子の挿抜方向に加わる応力に対する耐久性をさらに向上させることが可能となる。
【００６９】
また、本発明のアンテナ端子構造では、上記ベース部は、上記フレームの上記側壁と接する面に凸設されたベース凸部を有し、上記ベース凸部が、上記側壁に設けられた開口部または凹部と嵌合していることが好ましい。
【００７０】
これにより、アンテナを挿抜する場合に、アンテナ端子の挿抜方向に加わる応力に対する耐久性をさらに向上させることが可能となる。
【００７１】
また、本発明のアンテナ端子構造では、上記ベース部は、多角形であることが好ましい。
【００７２】
これにより、ベース部は角が除去された形状となり、回路基板におけるベース部の占有面積を低減できるため、他の部品配置の設計自由度や実装密度が向上する。また、ベース部におけるエッジ部分の引っ掛かりがなくなるため、組立やメンテナンス時の作業性が改善される。
【００７３】
また、本発明のアンテナ端子構造では、上記アンテナ端子の中心導体は、上記ベース部の対角方向に引き出されていることが好ましい。
【００７４】
これにより、中心導体の引き出し角度にバリエーションがあることで、他の部品配置の設計自由度および実装密度をさらに向上させることが可能となる。
【００７５】
また、本発明のアンテナ端子構造では、上記ベース部は、円形の一部が面取りされた形状であることが好ましい。
【００７６】
これにより、ベース部は円形の一部が面取りされた形状となり、回路基板におけるベース部の占有面積を低減できるため、他の部品配置の設計自由度や実装密度が向上する。また、ベース部の形状に曲線が含まれることによってエッジ部分が減少し、組立やメンテナンス時の作業性が改善される。
【００７７】
また、本発明のアンテナ端子構造では、上記アンテナ端子は、Ｆ接栓であることが好ましい。
【００７８】
また、本発明のアンテナ端子構造では、上記アンテナ端子は、ＤＩＮ端子であることが好ましい。
【００７９】
また、本発明のアンテナ端子構造では、上記アンテナ端子は、ソケット端子であることが好ましい。
【００８０】
また、本発明のアンテナ端子構造では、上記ベース部は、切削によって成形され、端子部と一体的に上記アンテナ端子を形成していることが好ましい。
【００８１】
これにより、ベース部の側面に曲率をもたせることができるため、標準的なベース部に比べて、ベース部の形状（最大幅）を大きくすることなく、表面積を増大させることが可能となる。したがって、半田付け面積が増加するため、フレームに対してアンテナ端子をより強固に半田付けすることが可能となる。
【００８２】
また、本発明のアンテナ端子構造では、上記ベース部は、ダイキャストによって成形され、端子部に接合されて上記アンテナ端子を形成していることが好ましい。
【００８３】
これにより、ベース部の側面に曲率をもたせることができるため、標準的なベース部に比べて、ベース部の形状（最大幅）を大きくすることなく、表面積を増大させることが可能となる。したがって、半田付け面積が増加するため、フレームに対してアンテナ端子をより強固に半田付けすることが可能となる。
【００８４】
また、本発明のチューナー装置は、上記のアンテナ端子構造を備えていることが好ましい。
【００８５】
これにより、本発明のチューナー装置は、上記のアンテナ端子構造を備えているため、アンテナ端子が面実装された回路基板における部品配置や回路パターンなどの設計の自由度が向上し、チューナー装置のさらなる小型化を実現することが可能となる。
【発明の効果】
【００８６】
本発明に係るアンテナ端子構造は、側壁を備えたフレームと、端子部およびベース部を備えたアンテナ端子と、上記フレームの内部に設けられ、上記アンテナ端子が載置されて実装されている回路基板とによって構成されるアンテナ端子構造であって、上記ベース部は、上記側壁に固定されており、上記フレームは、上記側壁の内側に、該側壁から離間した隔壁を有しており、上記ベース部が、さらに上記隔壁に固定されており、上記ベース部は、上記側壁または上記隔壁と電気的に導通可能に固定されており、上記ベース部が、少なくとも２つの側面を有しており、互いに異なる上記側面において、上記側壁および上記隔壁に固定されていることを特徴としている。
【００８７】
また、本発明のアンテナ端子構造は、側壁と、該側壁の内側に、該側壁から離間して設けられた隔壁とを備えたフレームと、端子部およびベース部を備えたアンテナ端子と、上記フレームの内部に設けられ、上記アンテナ端子が載置されて実装されている回路基板とによって構成されるアンテナ端子構造であって、上記ベース部は、上記隔壁に固定されており、上記ベース部は、上記隔壁と電気的に導通可能に固定されていることを特徴としている。
【００８８】
それゆえ、アンテナ端子が面実装された回路基板における部品配置や回路パターンなどの設計の自由度を向上させることができる。また、部品を配置する場合やメンテナンス時の作業性も改善される。しかも、アンテナ端子は、フレームの側壁または隔壁に固定されているため、アンテナを挿抜する場合に、アンテナ端子に加わる応力によって面実装されたアンテナ端子が回路基板から脱離したり、回路パターンが剥離したりすることを防止できる。
【００８９】
さらに、上記の構成によれば、フレームには隔壁が設けられており、アンテナ端子のベース部は、フレームの側壁と隔壁とに固定される。側壁はフレームの形状に沿って設けられるが、隔壁はフレームの内側において任意の配置が可能である。
【００９０】
これにより、アンテナ端子を固定する位置の自由度、すなわち、アンテナ端子の配置の自由度を向上させることができる。また、アンテナ端子のベース部は、フレームの側壁だけでなく、隔壁にも固定されることになるため、アンテナ端子に加わる応力に対する耐久性をさらに向上させることができる。
【００９１】
また、本発明のチューナー装置は、上記のアンテナ端子構造を備えている。
【００９２】
それゆえ、アンテナ端子が面実装された回路基板における部品配置や回路パターンなどの設計の自由度が向上し、チューナー装置のさらなる小型化を実現することが可能となる。
【図面の簡単な説明】
【００９３】
【図１】本発明に係るアンテナ端子構造を備えたチューナーの断面を示す図である。
【図２】本発明に係るアンテナ端子構造の斜視図である。
【図３】本発明に係るアンテナ端子構造の一実施形態を示す図であり、アンテナ端子のベース部がシャーシの側壁に固定されている様子を示す平面図である。
【図４】本発明に係るアンテナ端子構造の一実施形態を示す図であり、図３に示すアンテナ端子構造の断面図である。
【図５】本発明に係るアンテナ端子構造を示す平面図であり、図３に示すアンテナ端子構造の変形例を示す図である。
【図６】本発明に係るアンテナ端子構造を示す平面図であり、図３に示すアンテナ端子構造の変形例を示す図である。
【図７】本発明に係るアンテナ端子構造を示す平面図であり、図３に示すアンテナ端子構造の変形例を示す図である。
【図８】本発明に係るアンテナ端子構造を示す平面図であり、図３に示すアンテナ端子構造の変形例を示す図である。
【図９】本発明に係るアンテナ端子構造を示す平面図であり、図３に示すアンテナ端子構造の変形例を示す図である。
【図１０】本発明に係るアンテナ端子構造を示す平面図であり、図３に示すアンテナ端子構造の変形例を示す図である。
【図１１】本発明に係るアンテナ端子構造を示す平面図であり、図３に示すアンテナ端子構造の変形例を示す図である。
【図１２】本発明に係るアンテナ端子構造を示す平面図であり、図３に示すアンテナ端子構造の変形例を示す図である。
【図１３】本発明に係るアンテナ端子構造を示す平面図であり、図３に示すアンテナ端子構造の変形例を示す図である。
【図１４】本発明に係るアンテナ端子構造を示す平面図であり、図３に示すアンテナ端子構造の変形例を示す図である。
【図１５】本発明に係るアンテナ端子構造を示す平面図であり、図３に示すアンテナ端子構造の変形例を示す図である。
【図１６】本発明に係るアンテナ端子構造を示す平面図であり、図３に示すアンテナ端子構造の変形例を示す図である。
【図１７】本発明に係るアンテナ端子構造を示す断面図であり、図４に示すアンテナ端子構造の変形例を示す図である。
【図１８】本発明に係るアンテナ端子構造を示す断面図であり、図４に示すアンテナ端子構造の変形例を示す図である。
【図１９】本発明に係るアンテナ端子構造を示す断面図であり、図４に示すアンテナ端子構造の変形例を示す図である。
【図２０】本発明に係るアンテナ端子構造を示す平面図であり、図３に示すアンテナ端子構造の変形例である。
【図２１】本発明に係るアンテナ端子構造におけるベース部２２の変形例を示す図である。
【図２２】本発明に係るアンテナ端子構造におけるベース部２２の変形例を示す図である。
【図２３】本発明に係るアンテナ端子構造におけるアンテナ端子２の変形例を示す図であり、切削またはダイキャストによって成形されたアンテナ端子２の断面図である。
【図２４】従来技術のアンテナ端子構造を示す図であり、外部からの信号を受信するアンテナを接続するためのアンテナ端子がシャーシ上面に設けられたチューナーの断面図である。
【図２５】従来技術のアンテナ端子構造を示す図であり、図２４に示すチューナーの斜視図である。
【発明を実施するための形態】
【００９４】
以下、本発明の実施形態に係る半導体装置について、図１〜図２２を参照しながら説明する。
【００９５】
（アンテナ端子構造１）
本発明に係るアンテナ端子構造１の構成について、図１に基づいて説明する。図１は、本発明に係るアンテナ端子構造１を備えたチューナー（チューナー装置）１０の断面を示す図である。
【００９６】
図１に示すとおり、アンテナ端子構造１は、面実装型のアンテナ端子２と回路基板３と導電性のシャーシ（フレーム）４とを含んで構成される。また、シャーシ４は、シールドカバー（フレーム）５によって覆われている。シールドカバー５は、不要な信号を遮蔽して、アンテナ端子２を介して受信するＲＦ信号と外部からの信号との干渉によるノイズの発生を防止する。なお、チューナー１０の上面において、シャーシ４およびシールドカバー５には、アンテナ端子２が配置されている位置において開口部が設けられている。これにより、チューナー１０にシールドカバー５が装着された状態においても、アンテナ端子２をアンテナ線のコネクタと接続することが可能となる。
【００９７】
回路基板３は、回路パターン形成面３ａと基板裏面３ｂとを備えており、シャーシ４の内部に設置されている。回路基板３には、回路パターン形成面３ａに部品６がマウントされており、基板裏面３ｂから部品７が挿入されて実装されている。また、回路基板３には、コネクタ端子８が基板裏面３ｂから挿入され、回路パターン形成面３ａにおいて、回路パターンに接続されている。コネクタ端子８は、チューナー１０に接続される機器（以下では、セット機器と称する）のマザーボードと電気的な接続を形成するためのコネクタ端子である。なお、本実施の形態では、回路基板３は、片面パターン基板であるが、両面パターン基板であってもよく、特に限定はされない。
【００９８】
図２は、本発明に係るアンテナ端子２の斜視図である。アンテナ端子２は、端子部２１とベース部２２とセンターピン（中心導体）２３とを含んで構成される。本実施の形態では、ベース部２２は、正方形の上面および下面と長方形の側面２２ａ、２２ｂ、２２ｃ、および２２ｄとによって構成される直方体であり、アンテナ端子２は、直方体のベース部２２と円筒形の端子部２１とが一体化した形状である。また、端子部２１は、回路基板３に対して垂直に立設されている。
【００９９】
なお、ベース部の形状は、直方体や立方体などの六面体に限定されることはなく、ベース部の上面および下面が多角形の形状をした多面体であってもよい。また、あるいは、ベース部の上面および下面が円形の一部が面取りされた形状であってもよい。
【０１００】
図３は、本発明に係るアンテナ端子構造の一実施形態を示す図であり、アンテナ端子２のベース部２２がシャーシ４の側壁４ａに固定されている様子を示す平面図である。また、図４は、図３に示すアンテナ端子構造１の断面図である。
【０１０１】
従来、面実装型のアンテナ端子は、ネジやボルトによって、平面部材など共に回路基板に締結されて固定されていたが、ネジやボルトを通すためのフランジや平面部材などによって、回路基板におけるアンテナ端子の占有面積が大きく、他の部品配置やパターン形成などの基板設計の自由度が小さくなってしまう問題があった。
【０１０２】
これに対し、本発明に係るアンテナ端子構造１では、図３および図４に示すとおり、シャーシ４は、側壁４ａを備えており、アンテナ端子２のベース部２２は、シャーシ４の側壁４ａに固定されている。
【０１０３】
これにより、アンテナ端子２が面実装された回路基板３における部品配置や回路パターンなどの設計の自由度を向上させることができる。また、部品を配置する場合やメンテナンス時の作業性も改善される。しかも、アンテナ端子２は、シャーシ４の側壁に固定されているため、アンテナを挿抜する場合にアンテナの挿抜方向に発生する応力によって面実装されたアンテナ端子２が回路基板３から脱離したり、回路パターン１１が剥離したりすることを防止できる。
【０１０４】
本発明に係るアンテナ端子構造１について、以下に、より詳細に説明すれる。アンテナ端子２は、図１に示すとおり、回路基板３の回路パターン形成面３ａに載置され、端子部２１は回路基板３に対して垂直に立設しており、ベース部２２の下面と回路パターン形成面３ａとが接触している。そして、センターピン２３は、端子部２１の内部において垂直方向に延びているが、図３および図４に示すとおり、基板面の高さにおいて折れ曲がり、ベース部２２の回路基板３と接触する面に設けられた溝１４を通って、ベース部の１つの側面２２ｃから外部に突出している。
【０１０５】
そして、アンテナ端子２のセンターピン２３は、パターン１１と半田１２によって接続され、アンテナ端子２は、回路基板３に形成された回路パターンと電気的に接続されることになる。つまり、アンテナ端子２は、回路基板３に面実装されている。これにより、回路基板３には、アンテナ端子２に接続されたアンテナを介して、受信した高周波信号が供給され得る。
【０１０６】
アンテナ端子２は、端子部２１が回路基板３に対して垂直に立設されてり、また、ベース部２２を介して回路基板３に面実装されているため、シャーシ４およびシールドカバー５の上面に設置された場合に比べ、アンテナ端子構造の全体としての高さ、すなわち、シャーシ４の下面からアンテナ端子２の端子部２１の先端までの高さを低減できる。
【０１０７】
図３に示すアンテナ端子構造１では、ベース部２２の側面２２ａがシャーシ４の側壁４ａに接触（すなわち、面接触）して、半田９によって半田付けされて固定されている。図３に示すアンテナ端子構造１では、ベース部２２の他の側面（すなわち、側面２２ｂ、２２ｃ、および、２２ｄ）はシャーシ４の側壁に固定されておらず、ベース部２２の１つの側面において固定されている。
【０１０８】
また、シャーシ４は、グランドに接続されており、ベース部２２は、側壁４ａおよび半田９を介して導電性のシャーシ４と電気的に導通可能に接続されている。これにより、ベース部２２もグランドに接続される。さらに、ベース部２２は、回路基板３に形成されたグランド（ＧＮＤ）パターンとも接続されている。
【０１０９】
ここで、グランドの接続が不安定な場合、すなわち、アンテナ端子２、回路基板３、シャーシ４、およびアンテナからの入力ケーブルのグランド電位にずれが生じると、遮蔽の効果が薄れてしまうために不要な信号を輻射し、外部からの輻射の影響を受けやすくなってしまう。
【０１１０】
本実施の形態では、上述のとおり、アンテナ端子２、回路基板３、およびシャーシ４が良好にグランド接続されるため、グランドループの影響によるノイズの発生を抑制することが可能となる。
【０１１１】
なお、ベース部２２とシャーシ４の側壁４ａとは、半田付け以外にも、電気的な接続が維持された状態でネジなどによって締結されてもよいし、あるいは、金属充填された接着剤などを用いて固定される構成であってもよく、特に限定はされない。
【０１１２】
（アンテナ端子構造１の変形例）
図５は、本発明に係るアンテナ端子構造を示す平面図であり、図３に示すアンテナ端子構造の変形例を示す図である。図５に示すアンテナ端子構造では、ベース部２２の隣り合う２つの側面２２ａおよび２２ｂとが、それぞれ、シャーシ４の隣り合う２つの側壁４ａおよび４ｂに接触して、半田９によって固定されている。
【０１１３】
これにより、アンテナを挿抜する場合に発生する応力に対する耐久性をさらに向上させることができる。
【０１１４】
図６は、本発明に係るアンテナ端子構造を示す平面図であり、図３に示すアンテナ端子構造の変形例を示す図である。図６に示すアンテナ端子構造では、図３に示すアンテナ端子構造と同様、ベース部２２の側面２２ａがシャーシ４の側壁４ａと接触して、半田９によって固定されている。さらに、図６に示すアンテナ端子構造では、シャーシ４は、側壁４ａおよび４ｂの内側に隔壁１３ｃを有しており、ベース部２２は、側壁４ａ以外に、隔壁１３ｃにも固定されている。側壁４ａ、４ｂはフレームの形状に沿って設けられるが、隔壁１３ｃはフレームの内側において任意の配置が可能である。
【０１１５】
これにより、アンテナ端子２を固定する位置の自由度、すなわち、アンテナ端子２の配置の自由度を向上させることができる。また、アンテナ端子に加わる応力に対する耐久性をさらに向上させることができる。
【０１１６】
図６に示すアンテナ端子構造では、ベース部２２の側面２２ａ（第１の側面）が、シャーシ４の側壁４ａに接触して、半田９によって固定されている。さらに、図６に示すアンテナ端子構造では、ベース部２２における側面２２ａに対向する側面２２ｃ（第２の側面）が、シャーシ４の隔壁１３ｃに接触して、半田９によって固定されている。
【０１１７】
これにより、回転方向に発生する応力に対する耐久性を向上させることができる。
【０１１８】
図７は、本発明に係るアンテナ端子構造を示す平面図であり、図３に示すアンテナ端子構造の変形例を示す図である。図７に示すアンテナ端子構造では、図５に示すアンテナ端子構造と同様、ベース部２２の隣り合う２つの側面２２ａおよび２２ｂが、それぞれ、シャーシ４の隣り合う２つの側壁４ａおよび４ｂに接触して、半田９によって固定されている。さらに、図７に示す端子構造では、シャーシ４は、側壁４ａおよび４ｂの内側に隔壁１３ｃを有しており、ベース部２２は、ベース部２２の他の１つの側面２２ｃが、側隔壁１３ｃに接触して、半田９によって固定されている。
【０１１９】
これにより、アンテナの挿抜方向、および回転方向の両方の応力に対する耐久性を向上させることができる。  
【０１２０】
図８は、本発明に係るアンテナ端子構造を示す平面図であり、図３に示すアンテナ端子構造の変形例を示す図である。図８に示すアンテナ構造では、図５に示すアンテナ端子構造と同様、ベース部２２の隣り合う２つの側面２２ａおよび２２ｂが、それぞれ、シャーシ４の隣り合う２つの側壁４ａおよび４ｂに接触して、半田９によって固定されている。さらに、図７に示す端子構造では、シャーシ４は、側壁４ａおよび４ｂの内側に隔壁１３ｃおよび１３ｄを有しており、ベース部２２は、ベース部２２の他の隣り合う側面２２ｃおよび２２ｄが、それぞれ、隔壁１３ｃおよび１３ｄに接触して、半田９によって固定されている。
【０１２１】
これにより、アンテナ端子２に加わる応力に対する耐久性をさらに向上させることが可能となる。
【０１２２】
図９は、本発明に係るアンテナ端子構造を示す平面図であり、図３に示すアンテナ端子構造の変形例を示す図である。図９に示すアンテナ構造では、図３に示すアンテナ端子構造と同様、ベース部２２の側面２２ａ（第１の側面）がシャーシ４の側壁４ａと接触して、半田９によって固定されている。さらに、図９に示すアンテナ端子構造では、シャーシ４は、側壁４ａおよび４ｂの内側に隔壁１３ｂを有しており、ベース部２２は、側面２２ａに隣り合う側面２２ｂ（第２の側面）が隔壁１３ｂに接触して、半田９によって固定されている。
【０１２３】
これにより、アンテナ端子２に加わる応力に対する耐久性をさらに向上させることが可能となる。
【０１２４】
図１０は、本発明に係るアンテナ端子構造を示す平面図であり、図３に示すアンテナ端子構造の変形例を示す図である。図１０に示すアンテナ端子構造では、図３に示すアンテナ端子構造と同様、ベース部２２の側面２２ａ（第１の側面）がシャーシ４の側壁４ａと接触して、半田９によって固定されている。さらに、図１０に示すアンテナ端子構造では、シャーシ４は、側壁４ａおよび４ｂの内側に隔壁１３ｂおよび１３ｄを有しており、ベース部２２は、側面２２ａに隣り合う側面２２ｂ（第２の側面）および２２ｄ（第３の側面）が、それぞれ、隔壁１３ｂおよび１３ｄに接触して、半田９によって固定されている。
【０１２５】
これにより、アンテナ端子２に加わる応力に対する耐久性をさらに向上させることが可能となる。
【０１２６】
図１１は、本発明に係るアンテナ端子構造を示す平面図であり、図３に示すアンテナ端子構造の変形例を示す図である。図１１に示すアンテナ端子構造では、図３に示すアンテナ端子構造と同様、ベース部２２の側面２２ａ（第１の側面）がシャーシ４の側壁４ａと接触して、半田９によって固定されている。さらに、図１１に示すアンテナ端子構造では、シャーシ４は、側壁４ａおよび４ｂの内側に隔壁１３ｂおよび１３ｃを有しており、ベース部２２は、側面２２ａに隣り合う側面２２ｂ（第２の側面）が隔壁１３ｂ（第１の隔壁）と接触し、半田９によって固定され、側面２２ａに対向する側面２２ｃ（第２の側面）が隔壁１３ｃ（第２の隔壁）に接触して、半田９によって固定されている。
【０１２７】
これにより、アンテナ端子２の回転方向に発生する応力に対する耐久性をさらに向上させることができる。
【０１２８】
図１２は、本発明に係るアンテナ端子構造を示す平面図であり、図３に示すアンテナ端子構造の変形例を示す図である。図１２に示すアンテナ端子構造では、シャーシ４は、側壁４ａおよび４ｂの内側に隔壁１３ｂを有しており、ベース部２２がシャーシ４の隔壁１３ｂに固定されている。なお、ベース部２２は、シャーシ４の側壁４ａおよび４ｂに固定されていない。
【０１２９】
これにより、アンテナ端子２が面実装された回路基板３における部品配置や回路パターンなどの設計の自由度を向上させることができる。また、部品を配置する場合やメンテナンス時の作業性も改善される。さらに、アンテナ端子２の配置自由度を向上させることができる。しかも、アンテナ端子２は、フレームの隔壁１３ｂに固定されているため、アンテナを挿抜する場合に、アンテナ端子２に加わる応力によって面実装されたアンテナ端子２が回路基板３から脱離したり、回路パターンが剥離したりすることを防止できる。
【０１３０】
図１２に示すアンテナ構造では、ベース部２２の側面２２ｂが、シャーシ４の隔壁１３ｂと接触して、半田９によって固定されている。図１２に示すアンテナ構造では、ベース部２２の他の側面（すなわち、側面２２ｂ、２２ｃ、および、２２ｄ）は、シャーシ４の隔壁に固定されておらず、ベース部２２の１つの側面において固定されている。
【０１３１】
これにより、アンテナ端子２をシャーシ４の側壁４ａ、４ｂに固定せずに、側壁４ａ、４ｂの内側に設けられた１つの隔壁１３ｂに固定することができるため、アンテナ端子２の配置自由度を向上させることが可能となる。
【０１３２】
図１３は、本発明に係るアンテナ端子構造を示す平面図であり、図３に示すアンテナ端子構造の変形例を示す図である。図１３に示すアンテナ端子構造では、図１２に示すアンテナ端子構造と同様、ベース部２２の側面２２ｂ（第１の側面）がシャーシ４の隔壁１３ｂ（第１の隔壁）と接触して、半田９によって固定されている。さらに、図１３に示すアンテナ端子構造では、シャーシ４は、側壁４ａおよび４ｂの内側に隔壁１３ｄ（第２の隔壁）を有しており、ベース部２２は、ベース部２２における側面２２ｂに対向する側面２２ｄ（第２の側面）が、シャーシ４の隔壁１３ｄに接触して、半田９によって固定されている。
【０１３３】
これにより、アンテナ端子２の配置自由度を向上させることが可能となる。また、アンテナ端子２の回転方向の応力に対する耐久性を向上させることが可能となる。
【０１３４】
図１４は、本発明に係るアンテナ端子構造を示す平面図であり、図３に示すアンテナ端子構造の変形例を示す図である。図１４に示すアンテナ端子構造では、図１２に示すアンテナ端子構造と同様、ベース部２２の側面２２ｂ（第１の側面）がシャーシ４の隔壁１３ｂ（第１の隔壁）と接触して、半田９によって固定されている。さらに、図１４に示すアンテナ端子構造では、シャーシ４は、側壁４ａおよび４ｂの内側に隔壁１３ｃ（第２の隔壁）を有しており、ベース部２２は、ベース部２２における側面２２ｂと隣り合う側面２２ｃ（第２の側面）が、シャーシ４の隔壁１３ｃに接触して、半田９によって固定されている。
【０１３５】
これにより、アンテナ端子２の配置自由度を向上させることが可能となる。また、アンテナ端子２に加わる応力に対する耐久性を向上させることが可能となる。
【０１３６】
図１５は、本発明に係るアンテナ端子構造を示す平面図であり、図３に示すアンテナ端子構造の変形例を示す図である。図１５に示すアンテナ端子構造では、図１２に示すアンテナ端子構造と同様、ベース部２２の側面２２ｂ（第１の側面）がシャーシ４の隔壁１３ｂ（第１の隔壁）と接触して、半田９によって固定されている。さらに、図１５に示すアンテナ端子構造では、シャーシ４は、側壁４ａおよび４ｂの内側に隔壁１３ａ（第２の隔壁）および１３ｃ（第３の隔壁）を有しており、ベース部２２は、ベース部２２における側面２２ｂと隣り合う側面２２ａ（第２の側面）および２２ｃ（第３の側面）が、それぞれ、シャーシ４の隔壁１３ａおよび１３ｃに接触して、半田９によって固定されている。
【０１３７】
これにより、アンテナ端子２の配置自由度を向上させることが可能となる。また、アンテナ端子２の回転方向に発生する応力に対する耐久性をさらに向上させることができる。
【０１３８】
図１６は、本発明に係るアンテナ端子構造を示す平面図であり、図３に示すアンテナ端子構造の変形例を示す図である。図１６に示すアンテナ端子構造では、図１２に示すアンテナ端子構造と同様、ベース部２２の側面２２ｂがシャーシ４の隔壁１３ｂと接触して、半田９によって固定されている。さらに、図１６に示すアンテナ端子構造では、シャーシ４は、側壁４ａおよび４ｂの内側に隔壁１３ａ、１３ｃ、および、１３ｄを有しており、ベース部２２は、ベース部２２における側面２２ｂと隣り合う側面２２ａおよび２２ｃが、それぞれ、シャーシ４の隔壁１３ａおよび１３ｃに接触して、半田９によって固定されている。さらに、ベース部２２における側面２２ｂに対向する側面２２ｄが、シャーシ４の隔壁１３ｄに接触して、半田９によって固定されている。つまり、ベース部２２の全ての側面が、シャーシ４の隔壁に固定されている。
【０１３９】
これにより、アンテナ端子２の配置自由度を向上させることが可能となる。また、ベース部２２における全ての側面２２ａ〜ｄが隔壁１３ａ〜ｄによって固定されるため、アンテナ端子２に加わる応力に対する耐久性をさらに向上させることができる。
【０１４０】
図１７は、本発明に係るアンテナ端子構造を示す断面図であり、図４に示すアンテナ端子構造の変形例を示す図である。図１７に示すアンテナ端子構造では、図４に示すアンテナ端子構造において、アンテナ端子２のベース部２２には、回路基板３と接する面に複数の端子２４（ベース固定部）が垂直方向に成形されている。そして、この端子２４は、回路基板３に設けられたホール（挿入孔）を通って、基板裏面３ｂに到達している。さらに、端子２４は、基板裏面３ｂから突出した部分が折り曲げられている。これにより、ベース２２と回路基板３との電気的な接触を良好にすることができる。また、アンテナを挿抜する場合、アンテナ端子２に対してアンテナ挿抜方向に応力が加わることになるが、図１７の構成によって、より大きなアンテナ挿抜方向への応力に耐え得るアンテナ端子構造を実現できる。
【０１４１】
図１８は、本発明に係るアンテナ端子構造を示す断面図であり、図４に示すアンテナ端子構造の変形例を示す図である。図１７に示すアンテナ端子構造では、図４に示すアンテナ端子構造において、シャーシ４の側壁４ａには、アンテナ端子２のベース部２２の高さに凸部（側壁凸部）２５が設けられている。つまり、凸部２５は、ベース部２２における回路基板３と接する面に対向する面、すなわち、ベース部２２の上面に当接するように設けられている。図１８に示す構成によれば、凸部２５がアンテナ端子２のベース部２２を押さえる構造となる。これにより、アンテナを挿抜する場合、より大きなアンテナ挿抜方向への応力に耐え得るアンテナ端子構造を実現できる。
【０１４２】
図１９は、本発明に係るアンテナ端子構造を示す断面図であり、図４に示すアンテナ端子構造の変形例を示す図である。図１７に示すアンテナ端子構造では、図４に示すアンテナ端子構造において、アンテナ端子２のベース部２２には、シャーシ４の側壁４ａと接する面に凸部（ベース凸部）２６が設けられている。また、シャーシ４には、凸部２６に対応する位置に窓（開口部）２７が設けられており、凸部２６が窓２７に嵌合している。これにより、アンテナを挿抜する場合、より大きなアンテナ挿抜方向への応力に耐え得るアンテナ端子構造を実現できる。
【０１４３】
なお、シャーシ４には、凹部が設けられ、凸部２６が該凹部に嵌合する構成であってもよく、特に限定はされない。
【０１４４】
図２０は、本発明に係るアンテナ端子構造を示す平面図であり、図３に示すアンテナ端子構造の変形例である。図２０に示すアンテナ端子構造では、図３に示すアンテナ端子構造において、アンテナ端子２のセンターピン２３は、正方形であるベース部２２の上面（下面）の一辺と４５度の角度をなす方向、すなわち、対角方向に、引き出されている。このように、センターピン２３の引き出し角度にバリエーションがあることで、他の部品配置の設計自由度が向上し、実装密度を改善することができる。これにより、チューナーをより小型化することが可能となる。なお、本実施の形態では、ベース部２２の下面、すなわち、回路基板３と接触している面において、センターピン２３が引き出される方向には、溝が形成されている。
【０１４５】
図２１は、本発明に係るアンテナ端子構造におけるベース部２２の変形例を示す図である。図２１に示すアンテナ端子２のベース部２２は、多角形の形状をしている。これにより、ベース部２２は、角の部分が除去された形状となるため、回路基板３におけるベース部２２の占有面積を低減できる。したがって、他の部品配置の設計自由度が向上し、実装密度が改善され、チューナーの更なる小型化が実現可能となる。また、ベース部２２のエッジ部分の引っかかりがなくなるため、チューナー組立時の作業性が改善される。
【０１４６】
図２２は、本発明に係るアンテナ端子構造におけるベース部２２の変形例を示す図である。図２２に示すアンテナ端子２のベース部２２は、円形の一部が面取りされた形状をしている。これにより、回路基板３におけるベース部２２の占有面積を低減できる。したがって、他の部品配置の設計自由度が向上し、実装密度が改善され、チューナーの更なる小型化が実現可能となる。また、ベース部２２の形状に曲線が含まれていることによって、エッジ部分が減少し、引っかかりがなくなるため、チューナー組立時の作業性が改善される。
【０１４７】
図２３は、本発明に係るアンテナ端子構造におけるアンテナ端子２の変形例を示す図であり、切削またはダイキャストによって成形されたアンテナ端子２の断面図である。図２３に示すアンテナ端子２は、ベース部２２が端子部２１と同じ原材料から切削によって一体的に形成されてもよい。また、図２３に示すアンテナ端子２は、ベース部２２がダイキャストによって成形され、端子部２１と接合されて形成されてもよい。アンテナ端子２のベース部を切削、あるいは、ダイキャストによって成形することによって、図２３に示すように、ベース部２２の側面に曲率をもたせることができるため、図４に示す標準的なベース部２２と比較して、形状（ベース部の最大幅）を大きくすることなく、表面積を増加させることができる。これにより、半田付け面積が増加するため、フレームに対してアンテナ端子をより強固に半田付けすることが可能となる。
【０１４８】
また、アンテナ端子２は、Ｆ接栓、ＤＩＮ端子、あるいは、ソケット端子であってもよく、端子部の形状については特に限定されない。
【０１４９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５０】
本発明は、基板の表面に実装されるアンテナ端子に適用可能であり、特に、チューナー装置のアンテナ端子に好適である。
【符号の説明】
【０１５１】
１            アンテナ端子構造
２            アンテナ端子
３            回路基板
３ａ          回路パターン形成面
３ｂ          基板裏面
４            シャーシ（フレーム）
４ａ、ｂ      側壁
５            シールドカバー（フレーム）
９            半田
１０          チューナー（チューナー装置）
１１          パターン
１２          半田
１３ａ〜ｄ    隔壁
１４          溝
２１          端子部
２２          ベース部
２２ａ〜ｄ    側面
２３          センターピン（中心導体）
２４          端子（ベース固定部）
２５          凸部（側壁凸部）
２６          凸部（ベース凸部）
２７          窓（開口部）
【図１】
0005538346.tif 000002
【図２】
0005538346.tif 000003
【図３】
0005538346.tif 000004
【図４】
0005538346.tif 000005
【図５】
0005538346.tif 000006
【図６】
0005538346.tif 000007
【図７】
0005538346.tif 000008
【図８】
0005538346.tif 000009
【図９】
0005538346.tif 000010
【図１０】
0005538346.tif 000011
【図１１】
0005538346.tif 000012
【図１２】
0005538346.tif 000013
【図１３】
0005538346.tif 000014
【図１４】
0005538346.tif 000015
【図１５】
0005538346.tif 000016
【図１６】
0005538346.tif 000017
【図１７】
0005538346.tif 000018
【図１８】
0005538346.tif 000019
【図１９】
0005538346.tif 000020
【図２０】
0005538346.tif 000021
【図２１】
0005538346.tif 000022
【図２２】
0005538346.tif 000023
【図２３】
0005538346.tif 000024
【図２４】
0005538346.tif 000025
【図２５】
0005538346.tif 000026